【手続補正書】
【提出日】平成17年10月24日(2005.10.24)
【手続補正１】
【補正対象書類名】明細書
【補正対象項目名】特許請求の範囲
【補正方法】変更
【補正の内容】
【特許請求の範囲】
【請求項１】  所望位置の地図を、大縮尺から小縮尺までの縮尺範囲で、縮尺変更自在に表示する地図表示装置であって、
前記縮尺範囲をN個（Nは２以上の自然数）に仕切る仕切縮尺を、ユーザが変更自在に設定する仕切縮尺設定手段と、
該仕切縮尺にて仕切られたN個の縮尺範囲の地図を、縮尺変更自在に表示するためのN個の地図データベースを択一的に用いて、前記所望位置の地図を、所定の表示縮尺で表示する地図表示手段と、
前記表示縮尺を、ユーザが変更自在に設定する表示縮尺設定手段と、
該表示縮尺を検出し、前記地図表示手段に、該表示縮尺に応じた前記地図データベースを用いて、前記所望位置の地図を該表示縮尺にて表示させる地図データベース選定手段と、
を備えることを特徴とする地図表示装置。
【請求項２】  請求項１に記載の地図表示装置であって、
前記仕切縮尺設定手段は、前記N個の縮尺範囲を、識別可能に表示することを特徴とする地図表示装置。
【請求項３】  請求項１又は２に記載の地図表示装置であって、
前記仕切縮尺の設定の変更に連動して、地図の表示縮尺を変更する同時移動選択時処理を行うことを特徴とする地図表示装置。
【請求項４】  コンピュータを用いて、所望位置の地図を、大縮尺から小縮尺までの縮尺範囲で、縮尺変更自在に表示する地図表示方法であって、
前記縮尺範囲をN個（Nは２以上の自然数）に仕切る仕切縮尺を、ユーザが変更自在に設定する仕切縮尺設定工程と、
該仕切縮尺にて仕切られたN個の縮尺範囲の地図を、縮尺変更自在に表示するためのN個の地図データベースを択一的に参照する地図参照工程と、
表示縮尺を、ユーザが変更自在に設定する表示縮尺設定工程と、
該表示縮尺を検出し、該表示縮尺に応じた前記地図データベースを用いて、前記所望位置の地図を該表示縮尺にて表示させる地図データベース選定工程と、
を備えることを特徴とする地図表示方法。
【請求項５】  請求項４に記載の地図表示方法の各工程を、コンピュータに実行させるためのプログラム。
【請求項６】  請求項４に記載の地図表示方法の各工程を、コンピュータに実行させるためのプログラムを記録したコンピュータで読み取り可能な記録媒体。
【手続補正２】
【補正対象書類名】明細書
【補正対象項目名】０００７
【補正方法】削除
【補正の内容】
【手続補正３】
【補正対象書類名】明細書
【補正対象項目名】００１１
【補正方法】変更
【補正の内容】
【００１１】
また、地図表示装置は、所望位置の地図を、大縮尺から小縮尺までの縮尺範囲で、縮尺変更自在に表示する地図表示装置であって、前記縮尺範囲を仕切る仕切縮尺を、ユーザが変更自在に設定する仕切縮尺設定手段と、該仕切縮尺から前記大縮尺までの大縮尺範囲の地図を、縮尺変更自在に表示するための大縮尺用地図データベースと、前記仕切縮尺から前記小縮尺までの小縮尺範囲の地図を、縮尺変更自在に表示するための小縮尺用地図データベースと、を択一的に用いて、前記所望位置の地図を、所定の表示縮尺で表示する地図表示手段と、前記表示縮尺を、ユーザが変更自在に設定する表示縮尺設定手段と、該表示縮尺を検出し、該表示縮尺が前記大縮尺範囲にあるとき前記地図表示手段に前記大縮尺用地図データベースを用いて、前記所望位置の地図を該表示縮尺にて表示させ、前記表示縮尺が前記小縮尺範囲にあるとき前記地図表示手段に前記小縮尺用地図データベースを用いて、前記所望位置の地図を該表示縮尺にて表示させる地図データベース選定手段と、を有することとすることができる。
この地図表示装置によれば、仕切縮尺設定手段は、ユーザの指示に従って、縮尺範囲を大縮尺範囲と小縮尺範囲に仕切る仕切縮尺を設定する。たとえば、１／５００から１／２０万までの縮尺範囲に対し、１／５０００といった仕切縮尺を設定する。すると、１／５００から１／２０万までの縮尺範囲が、大縮尺範囲（「１／５００〜１／５０００」）と小縮尺範囲（「１／５０００〜１／２０万」）という２つの縮尺範囲に仕切られる。仕切縮尺は、１／５０００に限らず、１／５００〜１／２０万の範囲であればよい。
大縮尺範囲と小縮尺範囲には、地図を縮尺変更自在に表示するための地図データベースが対応づけられる。たとえば、大縮尺範囲（「１／５００〜１／５０００」）には住宅地図、小縮尺範囲（「１／５０００〜１／２０万」）には１／２．５万地形地図といったように対応づけられる。なお、対応づけられる地図データベースは、住宅地図、１／２．５万地形地図に限られず、市街地図、１／２０万地勢地図など、適宜選択可能である。
ここで、住宅地図とは、建物の形状や名称、道路等が示された地図、市街地図とは、建物の形状は示されているが主要な名称や道路だけが示された地図、地形地図とは、建物の形状は示されず、道路や主要な施設の記号が示された地図、地勢地図とは道路や主要な施設の記号が示された地図をいう。
地図表示手段は、これらの地図データベースを択一的に用いて、所望位置の地図を、所定の表示縮尺で表示する。ここで、地図データベースは、本地図表示装置内に一体に構成しても、別体に構成してもよい。別体に構成した場合には、両者をネットワークで接続した構成とすることが可能である。ネットワークは、典型的には、インターネットであるが、インターネットに限らず、ＬＡＮ（Ｌｏｃａｌ  Ａｒｅａ  Ｎｅｔｗｏｒｋ）や専用線によるネットワークなど、限定的なものであってもよい。ネットワークは、有線または無線により通信させる構成を採ることができる。
表示縮尺設定手段は、ユーザの指示に従って、表示縮尺を設定する。
地図データベース選定手段は、ユーザが設定した表示縮尺を検出し、地図表示手段に、表示縮尺に応じた地図データベースを用いて、所望位置の地図を表示縮尺にて表示させる。たとえば、ユーザが表示縮尺として、１／１５００を設定した場合、住宅地図を用いて地図を表示する。また、１／２万を設定した場合、１／２．５万地形地図を用いて地図を表示する。また、１／２万を設定した場合、１／２．５万地形地図を用いて地図を表示する。
このように構成することにより、ユーザは、同一位置、同一表示縮尺であっても、異なる複数の地図を表示させることができる。したがって、ユーザは、目的に応じて、最適な地図を表示させることができる。
【手続補正４】
【補正対象書類名】明細書
【補正対象項目名】００１２
【補正方法】変更
【補正の内容】
【００１２】
また、地図表示装置は、上記の地図表示装置において、前記仕切縮尺設定手段は、前記大縮尺範囲および前記小縮尺範囲を、識別可能に表示することとすることができる。
このように構成することにより、ユーザは、大縮尺範囲と小縮尺範囲を、一目見て把握することができる。
ここで、識別可能に表示するとは、たとえば、縮尺範囲をスライダースケール（図１９参照）として表示し、このスライダースケールにおいて、大縮尺範囲（「１／５００〜１／５０００」）と、小縮尺範囲（「１／５０００〜１／２０万」）とを、形状、色彩、模様の少なくとも１つを異ならせて表示させることが含まれる。
【手続補正５】
【補正対象書類名】明細書
【補正対象項目名】００１３
【補正方法】変更
【補正の内容】
【００１３】
請求項３に記載の地図表示装置は、請求項１又は２に記載の地図表示装置であって、前記仕切縮尺の設定の変更に連動して、地図の表示縮尺を変更する同時移動選択時処理を有することとしたものである。
このように構成することにより、仕切縮尺が変更されたとき、その変更された仕切縮尺における地図を直ちに表示させることができる。したがって、ユーザは、変更した仕切縮尺における地図を確認しながら、仕切縮尺の設定を行なうことができる。
【手続補正６】
【補正対象書類名】明細書
【補正対象項目名】００１４
【補正方法】変更
【補正の内容】
【００１４】
請求項４に記載の地図表示方法は、コンピュータを用いて、所望位置の地図を、大縮尺から小縮尺までの縮尺範囲で、縮尺変更自在に表示する地図表示方法であって、前記縮尺範囲をN個（Nは２以上の自然数）に仕切る仕切縮尺を、ユーザが変更自在に設定する仕切縮尺設定工程と、該仕切縮尺にて仕切られたN個の縮尺範囲の地図を、縮尺変更自在に表示するためのN個の地図データベースを択一的に参照する地図参照工程と、表示縮尺を、ユーザが変更自在に設定する表示縮尺設定工程と、該表示縮尺を検出し、該表示縮尺に応じた前記地図データベースを用いて、前記所望位置の地図を該表示縮尺にて表示させる地図データベース選定工程と、を有することとしたものである。
【手続補正７】
【補正対象書類名】明細書
【補正対象項目名】００１５
【補正方法】変更
【補正の内容】
【００１５】
また、地図表示方法は、コンピュータを用いて、所望位置の地図を、大縮尺から小縮尺までの縮尺範囲で、縮尺変更自在に表示する地図表示方法であって、前記縮尺範囲を仕切る仕切縮尺を、ユーザが変更自在に設定する仕切縮尺設定工程と、該仕切縮尺から前記大縮尺までの大縮尺範囲の地図を、縮尺変更自在に表示するための大縮尺用地図データベースと、前記仕切縮尺から前記小縮尺までの小縮尺範囲の地図を、縮尺変更自在に表示するための小縮尺用地図データベースと、を択一的に参照する地図参照工程と、表示縮尺を、ユーザが変更自在に設定する表示縮尺設定工程と、該表示縮尺を検出し、該表示縮尺が前記大縮尺範囲にあるとき前記地図表示手段に前記大縮尺用地図データベースを用いて、前記所望位置の地図を該表示縮尺にて表示させ、前記表示縮尺が前記小縮尺範囲にあるとき前記地図表示手段に前記小縮尺用地図データベースを用いて、前記所望位置の地図を該表示縮尺にて表示させる地図データベース選定工程と、を有することとすることができる。
【手続補正８】
【補正対象書類名】明細書
【補正対象項目名】００１６
【補正方法】変更
【補正の内容】
【００１６】
請求項５に記載のプログラムは、請求項４に記載の地図表示方法の各ステップをコンピュータに実行させるためのプログラムであることとしたものである。
【手続補正９】
【補正対象書類名】明細書
【補正対象項目名】００１７
【補正方法】変更
【補正の内容】
【００１７】
請求項６に記載の記録媒体は、請求項４に記載の地図表示方法の各ステップをコンピュータに実行させるためのプログラムを記録したコンピュータで読み取り可能な記録媒体であることとしたものである。
ここで、記録媒体としては、フレキシブルディスクやＣＤ−ＲＯＭ、ＤＶＤ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等の、コンピュータが読取り可能な種々の媒体を利用できる。